(57)【特許請求の範囲】
【請求項１】
二輪車を起立状態に保持するスタンド位置と格納された格納位置との間で揺動可能なサイドスタンドの位置検出装置において、
前記サイドスタンドのスタンド位置と格納位置との間の揺動に伴って回転する回転部材と、
該回転部材を回転自在に収容する収容ケースと、
前記回転部材の回転を検出することにより前記サイドスタンドがスタンド位置又は格納位置の何れの位置にあるか検出可能な位置検出手段と、
前記サイドスタンドの揺動と共に回転する当該サイドスタンドの回転軸に前記回転部材を締結して固定させる取付ボルトと、
を具備するとともに、前記回転部材は、前記サイドスタンドに係止可能な係止部と、前記取付ボルトを挿通させる開口の縁部から成り、当該取付ボルトの締付力を受ける締付部とが一体形成された一体部材を取り付けて成るものとされ、且つ、前記回転部材は、前記一体部材が固定されて前記サイドスタンドの揺動角度と対応した角度だけ前記収容ケース内で回転することを特徴とするサイドスタンドの位置検出装置。
【請求項２】
前記一体部材は、金属板をプレス加工して前記係止部及び締付部を形成して成ることを特徴とする請求項１記載のサイドスタンドの位置検出装置。
【請求項３】
前記回転部材は、前記一体部材をインサート成形にて固定して成ることを特徴とする請求項１又は請求項２記載のサイドスタンドの位置検出装置。
【発明の詳細な説明】
【技術分野】
【０００１】
本発明は、二輪車を起立状態に保持するスタンド位置と格納された格納位置との間で揺動可能なサイドスタンドの位置検出装置に関するものである。
【背景技術】
【０００２】
一般に、二輪車のサイドスタンドは、当該二輪車のブラケットに取り付けられた回転を中心としてスタンド位置と格納位置との間で揺動可能とされ、スタンド位置でその先端が地面と当接することにより二輪車を起立状態に保持するとともに、運転者が上方に向かって蹴り上げることにより格納位置とされ、当該格納位置でその先端が地面に対して離間して二輪車に格納された状態となるよう構成されている。
【０００３】
しかるに、例えば特許文献１で開示されているように、サイドスタンドがスタンド位置又は格納位置の何れの位置にあるかを検出するためのサイドスタンドの位置検出装置について従来より提案されている。かかる従来のサイドスタンドの位置検出装置は、サイドスタンドの所定位置に係合される係合ピン（係止部）と、係合ピンが取り付けられてサイドスタンドの揺動に伴って回転可能とされたロータ部材（回転部材）と、固定ボルト（取付ボルト）の締め付けによって生じるトルクを受けるトルク受け部材とを有して構成され、当該ロータ部材の回転を検知することにより、サイドスタンドの位置を検出し得るようになっている。
【先行技術文献】
【特許文献】
【０００４】
【特許文献１】特開２０１２−５６３４６号公報
【発明の概要】
【発明が解決しようとする課題】
【０００５】
しかしながら、上記従来技術においては、ロータ部材（回転部材）に係合ピン（係止部）及びトルク受け部材がそれぞれ取り付けられる構成であるため、サイドスタンドの揺動に伴って付与されるトルク及び固定ボルト（取付ボルト）の締付力を各々が受ける必要があり、係合ピン及びトルク受け部材のそれぞれに高強度が要求されるとともに、これら係合ピン及びトルク受け部材をそれぞれロータ部材に組み付ける必要があるので、組み付け作業性の悪化及び部品点数の増加を招来してしまうという問題があった。
【０００６】
本発明は、このような事情に鑑みてなされたもので、サイドスタンドの揺動に伴って付与されるトルク及び取付ボルトの締付力を確実に受け得るとともに、組み付け作業性の向上及び部品点数の低下を図ることができるサイドスタンドの位置検出装置を提供することにある。
【課題を解決するための手段】
【０００７】
請求項１記載の発明は、二輪車を起立状態に保持するスタンド位置と格納された格納位置との間で揺動可能なサイドスタンドの位置検出装置において、前記サイドスタンドのスタンド位置と格納位置との間の揺動に伴って回転する回転部材と、該回転部材を回転自在に収容する収容ケースと、前記回転部材の回転を検出することにより前記サイドスタンドがスタンド位置又は格納位置の何れの位置にあるか検出可能な位置検出手段と、前記サイドスタンドの揺動と共に回転する当該サイドスタンドの回転軸に前記回転部材を締結して固定させる取付ボルトとを具備するとともに、前記回転部材は、前記サイドスタンドに係止可能な係止部と、前記取付ボルトを挿通させる開口の縁部から成り、当該取付ボルトの締付力を受ける締付部とが一体形成された一体部材を取り付けて成るものとされ、且つ、前記回転部材は、前記一体部材が固定されて前記サイドスタンドの揺動角度と対応した角度だけ前記収容ケース内で回転することを特徴とする。
【０００８】
請求項２記載の発明は、請求項１記載のサイドスタンドの位置検出装置において、前記一体部材は、金属板をプレス加工して前記係止部及び締付部を形成して成ることを特徴とする。
【０００９】
請求項３記載の発明は、請求項１又は請求項２記載のサイドスタンドの位置検出装置において、前記回転部材は、前記一体部材をインサート成形にて固定して成ることを特徴とする。
【発明の効果】
【００１０】
請求項１の発明によれば、回転部材は、サイドスタンドに係止可能な係止部と、取付ボルトを挿通させる開口の縁部から成り、当該取付ボルトの締付力を受ける締付部とが一体形成された一体部材を取り付けて成るものとされ、且つ、回転部材は、一体部材が固定されてサイドスタンドの揺動角度と対応した角度だけ収容ケース内で回転するので、サイドスタンドの揺動に伴って付与されるトルク及び取付ボルトの締付力を確実に受け得るとともに、組み付け作業性の向上及び部品点数の低下を図ることができる。
【００１１】
請求項２の発明によれば、一体部材は、金属板をプレス加工して係止部及び締付部を形成して成るので、サイドスタンドの揺動に伴って付与されるトルク及び取付ボルトの締付力をより確実に受けることができる。
【００１２】
請求項３の発明によれば、回転部材は、一体部材をインサート成形にて固定して成るので、回転部材に対する一体部材の固定をより強固に行わせることができる。
【図面の簡単な説明】
【００１３】
【図１】本発明の実施形態に係るサイドスタンドの位置検出装置を示す３面図
【図２】同サイドスタンドの位置検出装置を示す分解斜視図
【図３】同サイドスタンドの位置検出装置の内部構造を示す断面図
【図４】同サイドスタンドの位置検出装置における端子板を示す平面図
【図５】同サイドスタンドの位置検出装置における一体部材を示す４面図
【図６】同サイドスタンドの位置検出装置を二輪車に取り付けた状態を示す断面図
【図７】同サイドスタンドの位置検出装置が取り付けられた二輪車のサイドスタンドがスタンド位置にある状態を示す模式図
【図８】同サイドスタンドの位置検出装置が取り付けられた二輪車のサイドスタンドが格納位置にある状態を示す模式図
【発明を実施するための形態】
【００１４】
以下、本発明の実施形態について図面を参照しながら具体的に説明する。
本実施形態に係るサイドスタンドの位置検出装置は、図６に示すように、二輪車の側方に形成されたブラケットＦに対して段付ボルトＤ及び取付ボルトＢによって取り付けられ、サイドスタンドＴの位置を検出するためのもので、図１〜３に示すように、一体部材３が固定された回転部材２と、収容ケース４と、位置検出手段を構成する可動接点５、端子板７ａ、７ｂとを有して構成されている。
【００１５】
サイドスタンドＴは、二輪車を起立状態に保持するスタンド位置（図７参照）と格納された格納位置（図８参照）との間で揺動可能なもので、その先端は、スタンド位置にあるとき、地面に接して車体を支持し得るとともに、格納位置にあるとき、地面から離間して二輪車の走行を安全に行わせるものである。かかるサイドスタンドＴは、ブラケットＦに取り付けられた段付ボルトＤ（回転軸）を中心に揺動し得るとともに、当該段付ボルトＤは、ナットＮにて抜け止めされつつサイドスタンドＴと共に軸回りに回転可能とされている。
【００１６】
さらに、サイドスタンドＴの外側には、図７、８に示すように、一端が車体に形成されたブラケットピンＰに固定されるとともに、他端がサイドスタンドＴの所定位置に固定されたサイドスタンドバネＬが取り付けられている。かかるサイドスタンドバネＬは、サイドスタンドＴに付勢力を付与してスタンド位置又は格納位置に保持させるもので、サイドスタンドＴがスタンド位置にあるとき、図７に示すように、サイドスタンドＴに対して矢印ａ方向に付勢力を付与してブラケットＦに当接させ、その位置を保持させるとともに、サイドスタンドＴが格納位置にあるとき、図８に示すように、サイドスタンドＴに対して矢印ｂ方向に付勢力を付与してブラケットＦに当接させ、その位置を保持させるようになっている。
【００１７】
回転部材２は、サイドスタンドＴのスタンド位置と格納位置との間の揺動に伴って回転するもので、図３に示すように、取付ボルトＢの頭部Ｂａの側方を覆う側方壁部２ａと、一体部材３が取り付けられる凹部２ｂとを有した略円筒状の部材から成る。側方壁部２ａは、回転部材２の下面に円環状に一体形成された部位であり、かかる側方壁部で囲まれた空間Ａに取付ボルトＢの頭部Ｂａが位置するようになっている。
【００１８】
凹部２ｂは、回転部材２の上面に円環状に形成された部位であり、一体部材３の外輪郭に倣った形状にて形成されている。そして、この凹部２ｂに一体部材３を固定（本実施形態においてはインサート成形）させると、図６に示すように、取付ボルトＢの頭部Ｂａが空間Ａに位置するとともに、ネジ部Ｂｂが一体部材３の中央孔３ｂに挿通可能とされている。
【００１９】
一体部材３は、図５に示すように、サイドスタンドＴに係止可能な係止部３ａと、取付ボルトＢのネジ部Ｂｂを挿通させて当該取付ボルトＢの締付力を受ける締付部３ｂとが形成された円板状の金属製部材（例えば鉄）から成るとともに、インサート成形時に樹脂が充填される複数の貫通孔３ｃが形成されている。本実施形態に係る一体部材３は、金属板をプレス加工して係止部３ａ及び締付部３ｂを一体形成して成るもので、係止部３ａは金属板の縁部を曲げ加工にて折り曲げ、平面に対して略直交する方向に突出させて形成され、締付部３ｂは金属板の中央を抜き加工にて開口させて形成されるものである。
【００２０】
しかして、サイドスタンドの位置検出装置１が二輪車に取り付けられると、図６に示すように、サイドスタンドＴに形成された係止穴Ｔａに係止部３ａが挿通して係止されるとともに、取付ボルトＢを段付ボルトＤに締め付けた際の締付力を締付部３ａの開口縁部にて受けることができる。これにより、一体部材３は、サイドスタンドＴの揺動に伴って付与される負荷（回転トルク）を係止部３ａが受けつつ、取付ボルトＢによる締付力（締付トルク）を締付部３ｂの開口縁部にて受けるようになっている。
【００２１】
これら係止部３ａ及び締付部３ｂは、１回のプレス加工にて同時に形成してもよく、複数回のプレス加工にて形成してもよい。なお、複数の貫通孔３ｃは、係止部３ａ及び締付部３ｂと同様、プレス加工（パンチ加工）にて形成されるもので、係止部３ａ及び締付部３ｂと同一工程又は別工程にて形成される。また、一体部材３の形状は、本実施形態の如く略円板状のものに限定されず、所定の部位に係止部３ａ及び他の部位に締付部３ｂが形成された一体の部材であれば、矩形状や異形等、他の形状であってもよい。
【００２２】
一方、回転部材２は、一体部材３以外が樹脂成形にて形成されるもので、インサート成形によって固定部材３を凹部２ｂに固定させている。そして、インサート成形によって、一体部材３の貫通孔３ｃに樹脂が充填されて固化するよう構成されているので、一体部材３をより一層強固に回転部材２に固定することができる。なお、インサート成形に代え、一体部材３を汎用のネジや接着材等により固定させるようにしてもよい。
【００２３】
収容ケース４は、回転部材２を回転自在に収容するもので、係止爪４ａと、係止溝４ｂと、中央孔４ｃと、樹脂モールド部４ｄとを有して構成されている。係止爪４ａは、図２に示すように、収容ケース４内に回転部材２等を挿入可能な開口の縁部において略等間隔離間して複数（本実施形態においては４つ）形成されたもので、全ての部品が収容ケース４内に収容された状態で熱により内側に変形され、当該部品（シール部材Ｓ２）を係止し得るよう構成されている。
【００２４】
係止溝４ｂは、サイドスタンドの位置検出装置１を車体に取り付ける際、車体に突出形成されたブラケットピンＰを係止可能な部位から成る。中央孔４ｃは、取付ボルトＢを挿通してその頭部Ｂａを回転させる工具等を挿通可能な部位から成る。樹脂モールド部４ｄは、図４に示すように、端子板７ａ、７ｂの配線Ｈとの接続端７ａａ、７ｂａが位置する部位から成り、配線Ｈが接続端７ａａ、７ｂａに接続された後、所定の樹脂を充填して固化させるようになっている。
【００２５】
可動接点５及び端子板７ａ、７ｂは、本発明の位置検出手段を構成するもので、回転部材２の回転を検出することによりサイドスタンドＴがスタンド位置又は格納位置の何れの位置にあるか検出可能とされている。具体的には、可動接点５が回転部材２の裏面側縁部に取り付けられるとともに、その可動接点５と対向する部位には端子板７ａ、７ｂがインサート成形にて固定されている。また、可動接点５は、バネ６によって端子板７ａ、７ｂ側に付勢されており、端子板７ａ、７ｂに対する接触圧が付与されている。
【００２６】
そして、サイドスタンドＴの揺動に伴って回転部材２が回転すると、可動接点５が端子板７ａ又は端子板７ｂ上を摺動することとなり、例えばサイドスタンドＴがスタンド位置にあるとき、可動接点５が端子板７ａ又は端子板７ｂの何れか一方にのみ接触して配線Ｈに電流が流れず、オフ状態とされるとともに、サイドスタンドＴが格納位置にあるとき、可動接点５が端子板７ａ及び端子板７ｂの両方に接触して配線Ｈに電流が流れ、オン状態とされるようになっている。これにより、オフ状態のとき、サイドスタンドＴがスタンド位置にあり、オン状態のとき、サイドスタンドＴが格納位置にあることを検出することができる。
【００２７】
シール部材Ｓ１は、回転部材２の側方壁部２ａと位置検出手段（可動接点５及び端子板７ａ、７ｂ）の配設位置との間に配設され、回転部材２の回転を許容しつつシール可能なものである。また、シール部材Ｓ２は、収容ケース４内に回転部材２等を挿入可能な開口の縁部に沿って配設され、回転部材２の回転を許容しつつシール可能なものである。なお、図２、３中符号８は、シール部材Ｓ１の下方に配設される円環状のプレートを示している。
【００２８】
本実施形態に係るサイドスタンドの位置検出装置１を二輪車の車体に取り付けるには、図６に示すように、係止部３ａを係止穴Ｔａに挿入してサイドスタンドＴを係止するとともに、取付ボルトＢを収容ケース４の中央孔４ａから挿入し、その頭部Ｂａが締付部３ｂの開口縁部に当接するまでネジ部Ｂｂを段付ボルトＤ（サイドスタンドＴの回転軸）に形成された取付穴Ｄａに挿通して螺合させる。なお、取付穴Ｄａの内周面には、ネジ部Ｂｂのネジ形状と螺合し得るメネジが形成されており、取付ボルトＢのネジ部Ｂｂと噛み合って螺合し得るようになっている。
【００２９】
しかして、サイドスタンドＴの揺動と共に回転する当該サイドスタンドＴの段付ボルトＤ（回転軸）に回転部材２が取付ボルトＢによって締結されて固定されることとなる。そして、サイドスタンドＴが段付ボルトＤを中心としてスタンド位置と格納位置との間を揺動する際、当該サイドスタンドＴと共に段付ボルトＤが軸回りに回転するので、回転部材２がサイドスタンドＴの揺動角度と対応した角度だけ回転する。この回転部材２の回転を位置検出手段（可動接点５及び端子板７ａ、７ｂ）が検出することにより、サイドスタンドＴがスタンド位置又は格納位置の何れの位置にあるか検出することができる。
【００３０】
ここで、本実施形態においては、取付ボルトＢの頭部Ｂａが収容ケース４内に位置するよう構成されている。すなわち、収容ケース４内に形成される空間Ａは、その深さ寸法α（開口から底面までの寸法）が取付ボルトＢの頭部Ｂａの寸法より大きくなるよう設定されているため、頭部Ｂａが収容ケース４の中央孔４ｃから外部に突出してしまうのを回避できるよう構成されているのである。
【００３１】
さらに、本実施形態に係る収容ケース４は、取付ボルトＢの頭部Ｂａの側方（図３中左右方向）に側方収容空間を有しており、当該側方収容空間に位置検出手段（可動接点５及び端子板７ａ、７ｂ）及びシール部材Ｓ１が配設されている。これにより、少なくとも側方収容空間の分だけ収容ケース４が幅広（すなわち、図３における左右方向の寸法が側方収容空間の分だけ大きい）なものとなるので、一体部材３の径を比較的大きなものとすることができ、その縁部に係止部３ａを形成すれば、サイドスタンドＴが揺動する際、より大きな回転角度で回転部材２を回転させて精度向上に寄与させることができる。
【００３２】
上記実施形態によれば、回転部材２は、サイドスタンドＴに係止可能な係止部３ａと、取付ボルトＢを挿通させて当該取付ボルトＢの締付力を受ける締付部３ｂとが形成された一体部材３を取り付けて成るので、サイドスタンドＴの揺動に伴って付与されるトルク及び取付ボルトＢの締付力を確実に受け得るとともに、組み付け作業性の向上及び部品点数の低下を図ることができる。
【００３３】
また、本実施形態に係る一体部材３は、金属板をプレス加工して係止部３ａ及び締付部３ｂを形成して成るので、サイドスタンドＴの揺動に伴って付与されるトルク及び取付ボルトＢの締付力をより確実に受けることができる。さらに、本実施形態に係る回転部材２は、一体部材３をインサート成形にて固定して成るので、回転部材２に対する一体部材３の固定をより強固に行わせることができる。
【００３４】
加えて、上記実施形態によれば、取付ボルトＢの頭部Ｂａが収容ケース４内に位置するので、収容ケース４から取付ボルトＢの頭部Ｂａが突出してしまうのを回避することができ、サイドスタンドＴをスタンド位置又は格納位置に保持させるためのサイドスタンドバネＬ等が干渉してしまうのを防止することができるとともにレイアウトの自由度を向上させることができる。すなわち、サイドスタンドＴがスタンド位置（図７参照）と格納位置（図８参照）との間で揺動する際、取付ボルトＢの取付位置上方をサイドスタンドバネＬの一部が通過するが、取付ボルトＢの頭部Ｂａが収容ケース４内に位置しているので、サイドスタンドバネＬが取付ボルトＢの頭部Ｂａに干渉してしまうのを確実に防止できるのである。
【００３５】
また、本実施形態に係る収容ケース４は、取付ボルトＢの頭部Ｂａの側方に側方収容空間を有し、当該収容空間に位置検出手段（可動接点５及び端子板７ａ、７ｂ）が配設されたので、収容ケース４に形成された側方収容空間を有効利用することができる。さらに、本実施形態によれば、側方収容空間には、位置検出手段（可動接点５及び端子板７ａ、７ｂ）の配設部位をシールするシール部材Ｓ１が取り付けられたので、収容ケース４に形成された側方収容空間をより一層有効利用することができるとともに、位置検出手段のシールを確実に行わせることができる。
【００３６】
特に、本実施形態に係る回転部材２は、取付ボルトＢの頭部Ｂａの側方を覆う側方壁部２ａが形成されたので、取付ボルトＢの頭部Ｂａをより確実に覆うことができるとともに、取付ボルトＢの頭部Ｂａが位置する空間と収容ケース４内の他の空間とを確実に画成させることができる。なお、本実施形態においては、取付ボルトＢの頭部Ｂａの側方を回転部材２に形成された側方壁部２ａで覆っているが、側方壁部２ａを形成せず、収容ケース４内に取付ボルトＢの頭部Ｂａが位置するものとしてもよい。
【００３７】
以上、本実施形態について説明したが、本発明はこれに限定されず、例えば位置検知手段を構成する可動接点５及び端子板７ａ、７ｂに代えて、例えば磁石及びホールＩＣにて回転部材２の回転を検出するもの等、他の形態の位置検知手段としてもよい。また、本実施形態においては、取付ボルトＢの頭部Ｂａが収容ケース４内に位置するよう構成されているが、取付ボルトＢの頭部Ｂａが収容ケース４の外部に突出したものであってもよい。
【産業上の利用可能性】
【００３８】
サイドスタンドに係止可能な係止部と、取付ボルトを挿通させる開口の縁部から成り、当該取付ボルトの締付力を受ける締付部とが一体形成された一体部材を取り付けて成る回転部材を具備したものとされ、且つ、回転部材は、一体部材が固定されてサイドスタンドの揺動角度と対応した角度だけ収容ケース内で回転するサイドスタンドの位置検出装置であれば、外観形状が異なるもの或いは他の機能が付加されたもの等にも適用することができる。
【符号の説明】
【００３９】
１    サイドスタンドの位置検出装置
２    回転部材
３    一体部材
３ａ  係止部
３ｂ  締付部
４    収容ケース
５    可動接点
６    バネ
７ａ、７ｂ  端子板
８    円環状プレート
Ｔ    サイドスタンド
Ｂ    取付ボルト
Ｂａ  頭部
Ｄ    段付ボルト（回転軸）
Ｌ    サイドスタンドバネ
Ｐ    ブラケットピン
【図１】
0006501345.tif 000002
【図２】
0006501345.tif 000003
【図３】
0006501345.tif 000004
【図４】
0006501345.tif 000005
【図５】
0006501345.tif 000006
【図６】
0006501345.tif 000007
【図７】
0006501345.tif 000008
【図８】
0006501345.tif 000009